(57)【特許請求の範囲】
【請求項１】
種々の情報を記録した円盤状のディスクを回転させるターンテーブルと、このターンテーブルとともに前記ディスクを上方から挟持するクランパとを備えたディスククランプ装置において、
前記クランパを前記ターンテーブル上に回動可能に支持する支持穴を備えた固定板と、
前記固定板の支持穴に挿入する挿入部を備えて一端側にフランジ状に延在して挿入方向の後端で係止する鍔部を備え、他端側に弾性を有して挿入方向外周の先端で出没して抜け防止に係合する複数のツメ部を設けたクランパと、
前記クランパ内に固定されて外周縁が前記外周のツメ部に当接して撓みを抑えるとともに前記ターンテーブルに前記クランパを磁着させて前記ディスクを挟持する金属板とを設けたことを特徴とするディスククランプ装置。
【請求項２】
請求項１に記載のディスククランプ装置において、
前記ツメ部は、前記クランパに複数形成した少なくとも１つ以上を弾性がなく前記クランパから直接突出した突起部に形成することで、前記固定板に装着した際の撓みを低減することを特徴とするディスククランプ装置。
【請求項３】
請求項１又は２に記載のディスククランプ装置において、
前記金属板は、前記クランパに装着して回転させることで前記クランパに設けた係止ツメに係合して固定するとともに、この固定時に前記クランパのツメ部に当接して撓みを抑えることを特徴とするディスククランプ装置。
【請求項４】
請求項３に記載のディスククランプ装置において、
前記ツメ部には、前記金属板に向かって延在するリブを一体に形成し、このリブに前記金属板が当接して撓みを防止することを特徴とするディスククランプ装置。
【発明の詳細な説明】
【０００１】
【発明の属する技術分野】
本発明は、ディスククランプ装置に係り、より詳細には種々の情報を記録した円盤状のディスクを回転させるターンテーブルを設けて、このターンテーブルとともにディスクを上方から挟持するクランパを備えたディスククランプ装置に関する。
【０００２】
【従来の技術】
従来、ディスククランプ装置は、例えば、ＣＤ、ＤＶＤなどの種々の情報を記録した円盤状のディスクを少なくとも記録又は再生する際、ディスクを載置して回転させるターンテーブルを設け、このターンテーブルの上方からディスクを抑えてターンテーブルとともにディスクを挟持するクランパを備えている。図７は、このようなディスクを少なくとも記録又は再生する装置に採用した従来のディスククランプ装置を示す図である。また、図８は、図７に示したクランパ５０の詳細を示す図である。また、図９は、図７に示したディスククランプ装置によりディスク１を挟持する動作を示す動作説明図であり、図９（ａ）は挟持する前の状態を、図９（ｂ）は挟持した後の状態を、図９（ｃ）は挟持後に衝撃を受けた状態を各々示している。
【０００３】
図７に示すように、ディスクを少なくとも記録又は再生する装置に採用した従来のディスククランプ装置は、ＤＶＤなどのディスク１を少なくとも記録又は再生する装置の外装を形成する本体１０を備え、この本体１０にディスク１を搬送及び排出するトレイ４０を設け、このトレイ４０の下部で昇降可能に支持されて本体１０内に搬送されたディスク１を載置して回転させるターンテーブル３４と、このターンテーブル３４上に配置されてターンテーブル３４とともにディスク１を上方から挟持するクランパ５０とを備えている。
【０００４】
ここで、ターンテーブル３４は、本体１０内の底面に弾性を備える弾性部材３２を介してフローティング（浮動）状態に支持された浮動シャシ３０の表面に配置されている。また、ターンテーブル３４は、浮動シャシ３０の表面に配置したモータ３４ａと、このモータ３４ａに回転可能に軸支した回転台３４ｂとにより形成されている。この回転台３４ｂは、内部に磁気性を備えたマグネット（図示せず）を設け、このマグネットによりクランパ５０を吸着して間にディスク１を挟持する構造を備えている。
【０００５】
また、浮動シャシ３０には、ターンテーブル３４を配置した近傍にトレイ４０により搬送されたディスク１を少なくとも記録又は再生する光ピックアップ３６などの光学部品を複数配置している。この浮動シャシ３０は、ディスク１を搬送するトレイ４０の下部に昇降可能に支持され、ターンテーブル３４をクランパ５０の位置まで上昇させてクランパ５０とともにディスク１を挟持するように形成している。
【０００６】
また、クランパ５０は、本体１０内のターンテーブル３４上に固定板２９を配置し、この固定板２９の挿入穴２９ａ（図８参照）に回転可能に支持されている。この固定板２９は、図８に示すように、平板状の表面にクランパ５０を回動可能に支持する円形状の支持穴２９ａを開口している。そして、クランパ５０は、この支持穴２９ａに挿入する円筒状の挿入部５１と、この挿入部５１の一端側を円盤形状に延在して封止するフランジ状の鍔部５２とにより形成されている。この挿入部５１には、円筒状の周壁に弾性を備えて突出するツメ部５４を複数形成している。また、クランパ５０には、円盤状で金属体からなる金属板５８を装着し、前述したターンテーブル３４のマグネットにより吸着されてターンテーブル３４との間にディスク１を挟持するように形成している。この金属板５８は、クランパ５０に一体に形成した軸５５により位置決めされるとともに、挿入部５１の内周に形成した係止ツメ５６により固定される。
【０００７】
このような構成からなる従来のディスククランプ装置を用いてディスク１を挟持する場合、まず、図７に示したようにディスク１をトレイ４０に載置し、このトレイ４０を摺動させてディスク１を本体１０内に収納する。この際、トレイ４０が本体１０内に摺動すると、図９（ａ）に示すように、浮動シャシ３０が同時に上昇してターンテーブル３４をクランパ５０に近接させる。これによりターンテーブル３４は、浮動シャシ３０の上昇によりディスク１を載置してトレイ４０から取り上げて芯出しする。これと同時に、ターンテーブル３４は、図９（ｂ）に示すように、モータ３４ａに軸支された回転台３４ｂのマグネットにより、芯出ししたディスク１上に金属板５８を装着したクランパ５０を吸着する。これによりディスク１は、ターンテーブル３４とクランパ５０との間に挟持され、図７に示したモータ３４ａにより回転して浮動シャシ３０に設けた光ピックアップ３６などの光学部品により、所定の情報が少なくとも記録又は再生される。
【０００８】
このように、従来のディスククランプ装置は、図８に示したように、ツメ部５４によりクランパ５０を固定板２９の支持穴２９ａに回動可能に支持し、このクランパ５０に金属板５８を装着して図９（ｂ）に示したようにターンテーブル３４のマグネット（図示せず）に吸着させることでターンテーブル３４とクランパ５０との間にディスク１を挟持するように形成していた。
【０００９】
しかしながら、このような従来のディスククランプ装置では、固定板２９に弾性を備えるツメ部５４を介してクランパ５０を支持しているため、図９（ｃ）に示すように、クランパ５０のツメ部５４が撓んでターンテーブル３４の中心位置からクランパ５０がズレてしまう。
【００１０】
【発明が解決しようとする課題】
このように、従来のディスククランプ装置では、クランパ５０が固定板２９に弾性を備えるツメ部５４を介して支持されているため、本体１０（図７参照）に所定の衝撃が加わった場合、図９（ｃ）に示したように、ツメ部５４が撓んでターンテーブル３４の中心位置からクランパ５０がズレてしまい、本体１０内でディスク１の芯出し及び挟持を良好に行えないという不具合があった。
本発明はこのような課題を解決し、クランパのツメ部による撓みを抑えてターンテーブル上でのズレを防止し、ディスクの芯出し及び挟持を良好に行えるディスククランプ装置を提供することを目的とする。
【００１１】
【課題を解決するための手段】
本発明は上述の課題を解決するために、種々の情報を記録した円盤状のディスクを回転させるターンテーブルを設けてこのターンテーブルとともにディスクを上方から挟持するクランパを備えたディスククランプ装置であって、クランパをターンテーブル上に回動可能に支持する支持穴を備えた固定板と、この固定板の支持穴に挿入する挿入部を備えて一端側にフランジ状に延在して挿入方向の後端で係止する鍔部を備えて他端側に弾性を有して挿入方向外周の先端で出没して抜け防止に係合する複数のツメ部を設けたクランパと、このクランパ内に固定されて外周縁が外周のツメ部に当接して撓みを抑えるとともにターンテーブルにクランパを磁着させてディスクを挟持する金属板とを設ける。
【００１２】
ここで、ツメ部は、クランパに複数形成した少なくとも１つ以上を弾性がなくクランパから直接突出した突起部に形成することで、固定板に装着した際の撓みを低減することが好ましい。また、金属板は、クランパに装着して回転させることでクランパに設けた係止ツメに係合して固定するとともに、この固定時にクランパのツメ部に当接して撓みを抑えることが好ましい。また、ツメ部には、金属板に向かって延在するリブを一体に形成し、このリブに金属板が当接して撓みを防止することが好ましい。
【００１３】
【発明の実施の形態】
次に、添付図面を参照して本発明によるディスククランプ装置の実施の形態を詳細に説明する。図１は、本発明によるディスククランプ装置の実施の形態を示す図である。また、図２は、図１に示したクランパ２０の詳細を示す図である。また、図３は、図２に示したクランパ２０を固定板２９に装着する動作を示す図であり、図３（ａ）はクランパ２０を圧入する状態を、図３（ｂ）はクランパ２０を装着した状態を各々示している。また、図４は、図２に示した固定板２９にクランパ２０及び金属板２８を装着した状態を示す図である。また、図５は、図４に示したＡ−Ａ線の断面を示す断面図である。また、図６は、図１に示したディスク１をターンテーブル３４とクランパ２０とにより挟持した状態を示す図である。ここで、図１に示したディスククランプ装置は、クランパ２０及び金属板２８以外は全て図６に示した従来のディスククランプ装置と同じ構成要素であり、同一構成要素には同じ符号を記載する。
【００１４】
図１に示すように、本発明によるディスククランプ装置の実施の形態は、図７に示した従来技術と同様に、ディスクを少なくとも記録又は再生する装置に採用したものであり、ＤＶＤなどのディスク１を少なくとも記録又は再生する装置の外装を形成する本体１０を備え、この本体１０にディスク１を搬送及び排出するトレイ４０を設け、このトレイ４０の下部で昇降可能に支持されて本体１０内に搬送したディスク１を載置して回転させるターンテーブル３４と、このターンテーブル３４上に配置されてターンテーブル３４とともにディスク１を上方から挟持するクランパ２０とを備えている。
【００１５】
ここで、ターンテーブル３４は、本体１０内の底面に弾性を備える弾性部材３２を介してフローティング（浮動）状態に支持された浮動シャシ３０の表面に配置されている。このターンテーブル３４は、浮動シャシ３０の表面に配置したモータ３４ａと、このモータ３４ａに回転可能に軸支した回転台３４ｂとにより形成されている。回転台３４ｂは、内部に磁気性を備えたマグネット（図示せず）を設け、このマグネットによりクランパ２０を吸着して間にディスク１を挟持する構造を備えている。
【００１６】
また、浮動シャシ３０には、ターンテーブル３４を配置した近傍にトレイ４０により搬送したディスク１を少なくとも記録又は再生する光ピックアップ３６などの光学部品を複数配置している。この浮動シャシ３０は、ディスク１を搬送するトレイ４０の下部に昇降可能に支持され、ターンテーブル３４をクランパ２０の位置まで上昇させてクランパ２０とともにディスク１を挟持するように配置している。
【００１７】
また、クランパ２０は、本体１０内に配置したターンテーブル３４の上部に固定板２９を配置し、この固定板２９に回転可能に支持されている。この固定板２９は、図２に示すように、平板状の表面にクランパ２０を回動可能に支持する円形状の支持穴２９ａを開口している。そして、クランパ２０は、図８に示した従来技術とは異なり、固定板２９の支持穴２９ａに挿入する円筒状で一端側を封止した凹状の挿入部２１を備え、この挿入部２１の端部にフランジ状に延在して固定板２９の挿入穴２９ａに係止する鍔部２２を設けている。また、クランパ２０には、挿入部２１の外周に弾性を備えて出没して抜け防止に係合するツメ部２４と、このツメ部２４とともに挿入部２１の外周に突出させて抜けを防止する突起部２３とを一体に形成している。また、クランパ２０のツメ部２４には、挿入部２１の内側に向かって延在するリブ２４ａを一体に形成している。
【００１８】
また、クランパ２０は、円盤状で金属体からなる金属板２８を挿入部２１内に装着して固定する軸２５と係止ツメ２６とを一体に形成しており、この金属板２８を装着することで前述したターンテーブル３４のマグネットに吸着されてディスク１を挟持するように形成している。この金属板２８には、図８に示した従来技術とは異なり、円盤状に形成されてクランパ２０の軸２５を挿入して位置決めする中心穴２８ａと、クランパ２０の係止ツメ２６を挿入するツメ穴２８ｂと、ツメ部２４に形成したリブ２４ａの当接を防止する切り欠き部２８ｃとを形成している。
【００１９】
このように形成されたクランパ２０を固定板２９に装着する場合、まず、図２に示したクランパ２０の挿入部２１を挿入穴２９ａに挿入してクランパ２０を固定板２９に固定させる。この際、クランパ２０は、図３（ａ）に示すように、突起部２３を形成した片側を固定板２９の挿入穴２９ａに挿入した後、他方のツメ部２４側を挿入穴２９ａに付勢させながら圧入する。これによりクランパ２０は、図３（ｂ）に示すように、固定板２９の挿入穴２９ａに回動可能に支持される。この挿入穴２９ａに装着したクランパ２０は、図３（ｂ）に示した突起部２３を形成する片側（左側）が弾性を備えてなく挿入穴２９ａに係合しているため、図９（ｃ）に示した従来技術の撓みを防止できる。一方、クランパ２０は、図３（ｂ）に示したツメ部２４側（右側）が弾性を備えているため、このツメ部２４の撓みを金属板２８（図２参照）を用いて防止している。
【００２０】
この金属板２８は、図２に示したように、中心穴２８ａ、ツメ穴２８ｂ、及び切り欠き部２８ｃにクランパ２０の軸２５、係止ツメ２６、及びツメ部２４のリブ２４ａを各々位置合わせして挿入する。そして、金属板２８は、クランパ２０の軸２５、係止ツメ２６、及びツメ部２４のリブ２４ａに各々挿入した後、図２に示した軸２５を中心に回転させる。これにより金属板２８は、図４に示すように、係止ツメ２６がツメ穴２８ｂに係合してクランパ２０内に固定されるとともに、切り欠き部２８ｃが回転することでツメ部２４のリブ２４ａが円盤状の外周に当接する。従って、クランパ２０は、図５に示すように、挿入部２１内に金属板２８を回転させて装着することで係止ツメ２６により固定され、この金属板２８の外周縁にツメ部２４のリブ２４ａを当接させてツメ部２４の撓みを防止するように形成している。
【００２１】
そして、このような構成からなるディスククランプ装置を用いてディスク１を挟持する場合、まず、図１に示したようにディスク１をトレイ４０に載置し、このトレイ４０を摺動させてディスク１を本体１０内に収納する。この際、トレイ４０が本体１０内に摺動すると、浮動シャシ３０が同時に上昇してターンテーブル３４をクランパ２０に近接させる。これによりターンテーブル３４は、浮動シャシ３０の上昇によりディスク１を載置してトレイ４０から取り上げて芯出しする。これと同時に、ターンテーブル３４は、図６に示すように、モータ３４ａに軸支された回転台３４ｂのマグネットにより、芯出ししたディスク１上に金属板２８を装着したクランパ２０を吸着する。これによりディスク１は、ターンテーブル３４とクランパ２０との間に挟持され、図１に示したモータ３４ａにより回転して浮動シャシ３０に設けた光ピックアップ３６などの光学部品が駆動することで、所定の情報が少なくとも記録又は再生される。
【００２２】
以上、本発明によるディスククランプ装置の実施の形態を詳細に説明したが、本発明は前述した実施の形態に限定されるものではなく、その要旨を逸脱しない範囲で変更可能である。
例えば、クランパにツメ部と突起部とを各々１箇所設けた実施の形態を説明したが、これに限定されるものではなく、例えば、クランパに複数のツメ部と突起部とを各々設けてもよい。
【００２３】
【発明の効果】
このように本発明によるディスククランプ装置によれば、クランパのツメ部を金属板を用いて固定するとともにツメ部の一部を突起部にすることで、ツメ部による撓みを抑えてクランパがターンテーブルの中心位置からズレることを防止しているため、本体内でディスクの芯出し及び挟持を良好に実行することが可能になる。
【図面の簡単な説明】
【図１】本発明によるディスククランプ装置の実施の形態を示す図。
【図２】図１に示したクランパの詳細を示す図。
【図３】図２に示したクランパを固定板に装着する動作を示す図。
【図４】図２に示した固定板にクランパ及び金属板を装着した状態を示す図。
【図５】図４に示したＡ−Ａ線の断面を示す断面図。
【図６】図１に示したディスクをターンテーブルとクランパとにより挟持した状態を示す図。
【図７】従来のディスククランプ装置を示す図。
【図８】図７に示したクランパの詳細を示す図。
【図９】図７に示したディスククランプ装置によりディスクを挟持する動作を示す動作説明図。
【符号の説明】
１    ディスク
１０    本体
２０    クランパ
２１    挿入部
２２    鍔部
２３    突起部
２４    ツメ部
２４ａ  リブ
２５    軸
２６    係止ツメ
２８    金属板
２８ａ  中心穴
２８ｂ  ツメ穴
２８ｃ  切り欠き部
２９    固定板
２９ａ  挿入穴
３０    浮動シャシ
３２    ターンテーブル
３２ａ  モータ
３２ｂ  回転台
４０    トレイ
【図１】
0003661093.tif 000002
【図２】
0003661093.tif 000003
【図３】
0003661093.tif 000004
【図４】
0003661093.tif 000005
【図５】
0003661093.tif 000006
【図６】
0003661093.tif 000007
【図７】
0003661093.tif 000008
【図８】
0003661093.tif 000009
【図９】
0003661093.tif 000010